(57)【要約】      （修正有）【課題】摘み易いファスニングテープを備えたテープタイプ使い捨ておむつを提供する。【解決手段】背側部分の両ウエスト側サイドフラップ部に、幅方向外側にそれぞれ突出するようにファスニングテープ５を設けたテープタイプ使い捨ておむつにおいて、背側の両側部に固定された付根部８Ｂ、この付根部から突出する本体部８Ｃ、及びこの本体部の中間部に設けられたメカニカルファスナー（面ファスナー）のフック材（オス材）や粘着剤等からなる係止部９を有するファスニングテープの外面に、係止部の先端部と重なる部位から突出する摘み片６を設ける。【選択図】図２
2013202184.tif 000002
【特許請求の範囲】
【請求項１】
装着者の腹側から股間を通り背側までを覆うように構成するとともに、
背側部分の両側に、背側部分の側部に固定された付根部、前記背側部分の側縁よりも幅方向外側に突出する本体部、及びこの本体部の先端側に設けられた係止部を有する、ファスニングテープを備えており、
身体への装着に際して、前記ファスニングテープを腰の両側から腹側外面に回して腹側外面に係止する、テープタイプ使い捨ておむつにおいて、
前記ファスニングテープの外面に、前記係止部の先端部と重なる部位から突出する摘み片が設けられた、
ことを特徴とするテープタイプ使い捨ておむつ。
【請求項２】
前記ファスニングテープは、前記本体部から付根部にわたる部分を構成するシート基材と、このシート基材の内面に設けられた係止部とを有しており、
前記摘み片が、前記シート基材を前記係止部の先端部と重なる部位から折り出すことにより形成されている、
請求項１記載のテープタイプ使い捨ておむつ。
【請求項３】
前記係止部における前記摘み片の付け根と重なる部位の係止力が、他の部位の係止力よりも弱くなるように構成されている、請求項１又は２記載のテープタイプ使い捨ておむつ。
【請求項４】
前記摘み片は、前記ファスニングテープの縦方向に延在するとともに、その縦方向中間に当該摘み片の先端から基端側に延在する切込部が形成されている、請求項１〜３のいずれか１項に記載のテープタイプ使い捨ておむつ。
【請求項５】
前記摘み片は、指を引っ掛けることが可能なようにリング状をなしている、請求項１〜４のいずれか１項に記載のテープタイプ使い捨ておむつ。
【請求項６】
前記リング状の摘み片は、その基端の両側に倒れ広がるように折り畳まれている、請求項５記載のテープタイプ使い捨ておむつ。
【発明の詳細な説明】
【技術分野】
【０００１】
本発明は、テープタイプ使い捨ておむつに関する。
【背景技術】
【０００２】
一般的なテープタイプ使い捨ておむつは、背側部分の両側部にファスニングテープがそれぞれ設けられるとともに、腹側部分の外面にターゲットテープが設けられており、ファスニングテープをターゲットテープに係止することで装着を行うものである（例えば特許文献１参照）。
【０００３】
図２（Ｂ）に示すように、ファスニングテープ５は、背側の両側部に固定された付根部８Ｂ、この付根部８Ｂから突出する本体部８Ｃ、及びこの本体部８Ｃの中間部に設けられたメカニカルファスナー（面ファスナー）のフック材（オス材）や粘着剤等からなる係止部９を有し、この係止部９より先端側が摘み部８Ａとされているものが一般的である。
【０００４】
使用時に、ファスニングテープ５を腹側部分の外面に係止した後に、係止位置を変更する場合は、図２（Ｂ）に示すように、ファスニングテープ５の摘み部８Ａをめくり起こして摘み、捲り上げるようにして腹側部分の外面から剥離する必要がある。
【０００５】
また、ファスニングテープ５は、製品状態では本体部８Ｂが背側部分の表面上に折り返され、係止部９を利用して背側部分の表面に仮止めされており、使用時にファスニングテープ５の摘み部８Ａを摘まんで側方に展開することが一般的である。
【０００６】
しかしながら、従来のファスニングテープ５では、図（２）Ｂに示すように、摘み部８Ａが平坦な状態で係止対象の表面に密着しているためにつまみ難いという問題点があった。
【先行技術文献】
【特許文献】
【０００７】
【特許文献１】特開２０１０−５７７１４号公報
【特許文献１】特開２０１０−１２５１３２号公報
【特許文献１】特開２００７−１７５２９８号公報
【発明の概要】
【発明が解決しようとする課題】
【０００８】
そこで、本発明の主たる課題は、摘み易いファスニングテープを備えたテープタイプ使い捨ておむつを提供することにある。
【課題を解決するための手段】
【０００９】
上記課題を解決した本発明は次記のとおりである。
＜請求項１記載の発明＞
装着者の腹側から股間を通り背側までを覆うように構成するとともに、
背側部分の両側に、背側部分の側部に固定された付根部、前記背側部分の側縁よりも幅方向外側に突出する本体部、及びこの本体部の先端側に設けられた係止部を有する、ファスニングテープを備えており、
身体への装着に際して、前記ファスニングテープを腰の両側から腹側外面に回して腹側外面に係止する、テープタイプ使い捨ておむつにおいて、
前記ファスニングテープの外面に、前記係止部の先端部と重なる部位から突出する摘み片が設けられた、
ことを特徴とするテープタイプ使い捨ておむつ。
【００１０】
（作用効果）
本発明者は、当初摘み易さの改善のみを念頭においていたため、ファスニングテープの外面であれば摘み片を突出させる位置は特に工夫はいらないと考えていた。しかし、その後の研究過程において、摘み片の突出位置が係止部の先端部よりも基端側であると、これを摘まんでファスニングテープを剥がす際、係止部を捲るように力を加えることができず、対象表面から持ち上げるように力を加えて大面積を一度に剥がすようになるため、摘むことは容易であるものの必要以上の力を要し、本末転倒の結果になるとの知見を得た。また、摘み片の突出位置が係止部の先端部よりも先端側であると、摘み片を引っ張る際、係止部よりも先端側の部分を捲り上げて摘み部と一直線状にする状態を経て係止部を捲り剥がす状態となるため、ファスニングテープを剥がすのに要する力が段階的に変化し、力を加えにくいといった知見や、係止部より先端側の係止不可能の自由部分から摘み片が突出するため、摘み片が邪魔になりやすいといった知見を得た。
これらの知見に基づき、本発明では、摘み片の突出位置を敢えて係止部の先端部と重なる部位としたものである。これにより、摘み片の摘みやすさだけでなく、摘み片を引っ張ってファスニングテープを剥がす際、最初から係止部の先端部に力が直に加わり、係止部の先端部から基端側に捲るようにして剥がすことができるため、少ない力で円滑に剥がすことができる。また、ファスニングテープの係止状態では、摘み片は係止部から突出するため、不必要にひらひらして邪魔になることもない。
【００１１】
＜請求項２記載の発明＞
前記ファスニングテープは、前記本体部から付根部にわたる部分を構成するシート基材と、このシート基材の内面に設けられた係止部とを有しており、
前記摘み片が、前記シート基材を前記係止部の先端部と重なる部位から折り出すことにより形成されている、
請求項１記載のテープタイプ使い捨ておむつ。
【００１２】
（作用効果）
このような構造とすることにより、専用の素材を取り付けることなく摘み片を形成できるだけでなく、ファスニングテープに摘み片が一体化して強度も十分となる。
【００１３】
＜請求項３記載の発明＞
前記係止部における前記摘み片の付け根と重なる部位の係止力が、他の部位の係止力よりも弱くなるように構成されている、請求項１又は２記載のテープタイプ使い捨ておむつ。
【００１４】
（作用効果）
このような構成とすることにより、摘み片を引っ張ってファスニングテープを剥がす際、係止部の先端部を捲り始めるのに要する力を低減でき、より円滑に剥がすことができる。
【００１５】
＜請求項４記載の発明＞
前記摘み片は、前記ファスニングテープの縦方向に延在するとともに、その縦方向中間に当該摘み片の先端から基端側に延在する切込部が形成されている、請求項１〜３のいずれか１項に記載のテープタイプ使い捨ておむつ。
【００１６】
（作用効果）
このような切込部が形成されていると、摘み片のうち切り込み部の縦方向一方側に位置する部分を摘んで引っ張ることとなり、係止部の縦方向一方側の先端部に力が集中するため、より少ない力で係止部を剥離し始めることができる。
【００１７】
＜請求項５記載の発明＞
前記摘み片は、指を引っ掛けることが可能なようにリング状をなしている、請求項１〜４のいずれか１項に記載のテープタイプ使い捨ておむつ。
【００１８】
（作用効果）
このようなリング状の摘み片とすることにより、手や指が不自由な人でも摘み片に指を掛けてファスニングテープの剥離及び係止を容易に行うことができる。
【００１９】
＜請求項６記載の発明＞
前記リング状の摘み片は、その基端の両側に倒れ広がるように折り畳まれている、請求項５記載のテープタイプ使い捨ておむつ。
【００２０】
（作用効果）
摘み片は、製品状態で折り畳んでおくことが望ましいが、リング状の摘み片をその基端から一方側に倒伏させて折り畳むと折癖によりリング状に広がり難くなり、指が通し難くなる。これに対して、上述のように、リング状の摘み片がその基端の両側に倒れ広がるように折り畳まれていると、両側の折り返し部分に折癖が付いてもその間の部分は若干膨らむため、一方側に倒伏させるよりは指を通しやすいものとなる。
【発明の効果】
【００２１】
以上のとおり本発明によれば、摘み易く、剥がし易いファスニングテープを備えたテープタイプ使い捨ておむつとなる、等の利点がもたらされる。
【図面の簡単な説明】
【００２２】
【図１】テープタイプ使い捨ておむつの展開状態の内面側を示す平面図である。
【図２】ファスニングテープ部分の断面図である。
【図３】図１のＸ−Ｘ断面図である。
【図４】図１のＷ−Ｗ断面図である。
【図５】テープタイプ使い捨ておむつの展開状態の外面側を示す平面図である。
【図６】テープタイプ使い捨ておむつの装着状態の右側を示す概略図である。
【図７】ファスニングテープ部分の断面図である。
【図８】ファスニングテープ部分の斜視図である。
【発明を実施するための形態】
【００２３】
以下、本発明の一実施形態について添付図面を参照しつつ詳説する。
【００２４】
（基本構成）
図１〜図６は、テープタイプ使い捨ておむつの一例１００を示しており、この使い捨ておむつ１００は、裏面側に位置するバックシート１と肌に接触する透液性トップシート２との間に、吸収体３が介在されているものであり、装着者の腹側から股間を通り背側までを覆うように構成されているものである。ここで、腹側部分（前側部分）Ｆは前後方向中央よりも前側の部分を意味し、背側部分（後側部分）Ｂは前後方向中央よりも後側の部分を意味する。
【００２５】
吸収体３としては、パルプ繊維の積繊体、セルロースアセテート等のフィラメントの集合体、あるいは不織布を基本とし、必要に応じて高吸収性ポリマーを混合、固着等してなるものを用いることができる。また、必要に応じて、吸収体３はクレープ紙（図示せず）により包むことができる。また、吸収体３の形状は適宜定めることができるが、図示のような砂時計形状の他、長方形等のように、股間部の前側から後側まで延在する形状が好適である。吸収体４におけるパルプ目付けは１００〜５００ｇ／ｍ2程度、厚みは１〜１５ｍｍ程度であるのが望ましい。また、高吸水性樹脂の目付けは０〜３００ｇ／ｍ2程度であるのが望ましい。高吸水性樹脂含有率が少な過ぎると、十分な吸収能を与えることができず、多過ぎるとパルプ繊維間の絡み合いが無くなり、ヨレや割れ等が発生し易くなる。
【００２６】
バックシート１は、吸収体３の周囲より外側に延在しており、吸収体３に吸収された排泄物の裏面側への移動を遮断するものである。バックシート１としては、ポリエチレンフィルム等のプラスチックフィルムの他、ムレ防止の点から遮水性を損なわずに透湿性を備えたシートも用いることができる。この遮水・透湿性シートは、例えばポリエチレンやポリプロピレン等のオレフィン系樹脂中に無機充填材を溶融混練してシートを形成した後、一軸または二軸方向に延伸することにより得られる微多孔性シートを用いることができる。バックシート１の単位面積あたりの重量は１３〜４０ｇ／ｍ2であるのが好ましく、厚みは０．０１〜０．１ｍｍであるのが好ましい。
【００２７】
バックシート１の裏面は外装シート１２で覆われており、この外装シート１２の両側部はバックシート１の側縁よりも外側に延在している。外装シート１２としては各種の不織布を用いることができるが、スパンボンド不織布が好適である。外装シート１２は省略することもでき、その場合、バックシート１が外装シート１２と同形状に形成される。
【００２８】
トップシート２は、吸収体３の周囲より外側に延在しており、吸収体３側縁より外側に延在する部分がバックシート１にホットメルト接着剤等により固着されている。なお、図中の斜線模様は固着部分を表しているものである。トップシート２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。透液性トップシート２に用いる不織布の繊維目付けは１５〜３０ｇ／ｍ2であるのが好ましく、厚みは０．０５〜１ｍｍであるのが好ましい。
【００２９】
図３及び図４にも示されるように、物品内面の両側部（図示形態ではトップシート２の側縁部表面からその側方に延在する外装シート１２の表面）には、バリヤーシート４の幅方向外側の部分４ｘが前後方向全体にわたり貼り付けられている。バリヤーシート４は、各種不織布（スパンボンド不織布が好適である）の他、バックシートに用いられるものと同様のプラスチックフィルム、又はこれらの積層シートを用いることができるが、肌への感触性の点で、撥水処理を施した不織布が好適である。バリヤーシート４の幅方向中央側の部分４ｃは、前後方向両端部では物品内面（図示形態ではトップシート２表面）にホットメルト接着剤等の手段により固着されているが、これらの間の中間部は非固定の自由部分となっており、この自由部分の先端部（展開状態における幅方向中央側の端部）には、細長状弾性伸縮部材４Ｇが前後方向に沿って伸張状態でホットメルト接着剤等により固定されている。この細長状弾性伸縮部材４Ｇ（他の細長状弾性伸縮部材も同様）としては、糸状、紐状、帯状等に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。この自由部分は、細長状弾性伸縮部材４Gの収縮力が作用する結果、図４に示されるように、物品内面（図示形態ではトップシート２表面）に対して起立するバリヤーを構成する。この起立部分の基端４ｂはバリヤーシート４における幅方向外側の固定部分４ｘと内側の部分４ｃとの境に位置する。
【００３０】
使い捨ておむつ１００の前後方向両端部では、バックシート１、外装シート１２、透液性トップシート２およびバリヤーシート４が吸収体３の前後端よりも前後両側にそれぞれ延在され、吸収体３の存在しないエンドフラップ部ＥＦが形成されている。
【００３１】
一方、使い捨ておむつ１００の左右両側部では、バックシート１、外装シート１２、透液性トップシート２およびバリヤーシート４が吸収体３の側縁よりも側方にそれぞれ延在され、吸収体３の存在しないサイドフラップ部が形成されており、各サイドフラップ部におけるシート間（図示例ではバックシート１及びトップシート２間）には、腹側部分Ｆのウエスト側部分から背側部分Ｂのウエスト側部分まで、複数本の細長状弾性伸縮部材３０が間隔を空けて平行に且つそれぞれ長手方向に伸張した状態で挟持固定されている。
【００３２】
サイドフラップ部のうち腹側部分Ｆのウエスト側部分及び背側部分Ｂのウエスト側部分にそれぞれ位置する部分は、それらの間の中間部分よりも側方に延出されており、これらの部分が、おむつの胴回り部分となるウエスト側サイドフラップ部ＳＦをそれぞれ構成し、その下縁が脚周りに沿う縁を形成している。腹側部分Ｆのウエスト側サイドフラップ部ＳＦの側縁の縦方向長さは背側部分Ｂのそれよりも短く形成されている。
【００３３】
（ファスニングテープ）
背側部分Ｂの両ウエスト側サイドフラップ部ＳＦには、側縁のウエスト側の端部及び脚周り側の端部から幅方向外側にそれぞれ突出するようにファスニングテープ５が取り付けられている。また、腹側部分Ｆの胴回り部表面に幅方向に沿ってターゲットテープ７が貼着されており、身体への装着に際しては、図６に示すように、おむつ１００を身体にあてがった状態で、両側のファスニングテープ５を腰の各側から腹側外面に回してターゲットテープ７に止着する。ターゲットテープ７は省略することもでき、その場合にはファスニングテープ５はおむつ外面（図示形態の場合外装シート１２）に直に止着される。
【００３４】
ファスニングテープ５は、背側部分Ｂの側部にホットメルト接着剤等により固定された付根部８Ｂと、背側部分Ｂの側縁よりも幅方向外側に突出する本体部８Ｃとを有するものであり、図示例では、これら全体を構成する基材８Ｂ，８Ｃと、本体部８Ｃの幅方向中間部の内面に設けられた係止部９とから構成されている。基材８Ｂ，８Ｃとしては、不織布や樹脂シート、これらの積層体等の公知の素材を使用することができ、図示例の係止部９はメカニカルファスナー（面ファスナー）のフックテープ（雄材）を用いているが、粘着剤を用いることもできる。
【００３５】
特徴的には、図２（Ａ）、図５及び図６に示すように、ファスニングテープ５の外面に、係止部９の先端部と重なる部位から突出する摘み片６が設けられている。摘み片６は、基材８Ｂ，８Ｃの外面に専用の素材を貼り付けることにより形成しても良いが、図示例のように、シート基材８Ｂ，８Ｃを係止部９の先端部と重なる部位から折り出すことにより形成すると、専用の素材を取り付けることなく摘み片６を形成できるだけでなく、ファスニングテープ５に摘み片６が一体化して強度も十分となるため好ましい。
【００３６】
摘み片６の寸法は適宜定めることができるが、突出長さ（後述するリング状摘み片６の場合は平坦にした状態の長さ）６ｈは１５〜３０ｍｍ程度とするのが好ましく、縦方向長さ（つまみ幅）６ｗは２５〜４０ｍｍ程度とするのが好ましい。
【００３７】
このような摘み片６を有すると、摘み片６の摘みやすさだけでなく、摘み片６を引っ張ってファスニングテープ５を剥がす際、最初から係止部９の先端部に力が直に加わり、係止部９の先端部から基端側に捲るようにして剥がすことができるため、少ない力で円滑に剥がすことができる。また、ファスニングテープ５の係止状態では、摘み片６は係止部９から突出するため、不必要にひらひらして邪魔になることもない。これに対して、摘み片６の突出位置が係止部９の先端部よりも基端側であると、これを摘まんでファスニングテープ５を剥がす際、係止部９を捲るように力を加えることができず、対象表面から持ち上げるように力を加えて大面積を一度に剥がすようになるため、摘むことは容易であるものの必要以上の力を要する。また、摘み片６の突出位置が係止部９の先端部よりも先端側であると、摘み片６を引っ張る際、係止部９よりも先端側の部分を捲り上げて摘み部８Ａと一直線状にする状態を経て係止部９を捲り剥がす状態となるため、ファスニングテープ５を剥がすのに要する力が段階的に変化し、力を加えにくくなる。さらにこの場合、係止部９より先端側の係止不可能の自由部分から摘み片６が突出するため、摘み片６が邪魔になりやすい。
【００３８】
ファスニングテープ５の剥離を更に容易にするために、図２（Ａ）に示すように、係止部９における摘み片６の付け根と重なる部位９ｗの係止力を、他の部位の係止力よりも弱くするのも好ましい。これにより、摘み片６を引っ張ってファスニングテープ５を剥がす際、係止部９の先端部を捲り始めるのに要する力を低減でき、より円滑に剥がすことができる。係止部９の係止力を部分的に弱くする手法としては、係止力の異なるフックテープや粘着剤を用いてもよいが、図示例のように同一のフックテープのピンを部分的に潰す等、同一の係止部９の係止力を部分的に弱くする加工を施すのが望ましい。
【００３９】
また、ファスニングテープ５の剥離を容易にするための他の手段として、図８に示すように、摘み片６の縦方向中間に当該摘み片６の先端から基端側に延在する切込部６ｃを形成することも提案する。切込部６ｃの切込深さは適宜定めることができ、図示例のように摘み片６の突出長さ方向中間までとする他、摘み片６の基端まで延在させることもできる。切込部６ｃは図示例のように、ある程度の幅（縦方向長さ）を有していてもよいが、スリット状（線状）でも良い。このような切込部６ｃが形成されていると、摘み片６のうち切り込み部の縦方向一方側に位置する部分を摘んで引っ張ることとなり、係止部９の縦方向一方側の先端部に力が集中するため、より少ない力で係止部９を剥離し始めることができる。
【００４０】
他方、このようなテープタイプ使い捨ておむつ１００の使用者として、手や指が不自由な人もおり、そのような使用者は摘み片６が突出していても依然として摘み難いものである。そこで、図７に示すように、摘み片６の形状を、指を引っ掛けることが可能なようにリング状にすることも提案する。図７は摘み片６を折り畳んだ状態を実線で示しており、二点鎖線で示すように広げることでリング状になる。このようなリング状の摘み片６であれば、手や指が不自由な人でも摘み片６に指を掛けてファスニングテープ５の剥離及び係止を容易に行うことができる。もちろん、必ずしも指を引っ掛ける必要はなく、リング状の摘み片６を外側から潰すように摘まんで操作しても良い。リング状の摘み片６は適宜の手法で形成することができるが、図示形態のように、シート基材８Ｂ，８Ｃを係止部９の先端部と重なる部位から折り出す場合、この折り出した部分の内面相互を接合せずに離間可能とするだけで形成することができる。
【００４１】
図７に示すように、摘み片６はリング状であるか否かに関係なく製品状態では平坦に折り畳んでおくことが望ましい。しかし、図７（Ａ）に示すように、リング状の摘み片６をその基端６ｂから一方側に倒伏させて折り畳むと折癖によりリング状に広がり難くなり、指が通し難くなる。これに対して、図７（Ｂ）に示すように、リング状の摘み片６がその基端６ｂの両側に倒れ広がるように折り畳まれていると、両側の折り返し部分に折癖が付いてもその間の部分は若干膨らむため、一方側に倒伏させるよりは指を通しやすいものとなる。なお、図２（Ａ）に示す平坦な摘み片６の場合は、図７（Ａ）に示すものと同様の折り畳み形態を採ることができる他、蛇腹状等の適宜の折り畳み形態を採ることができる。
【産業上の利用可能性】
【００４２】
本発明は、テープタイプ使い捨ておむつに利用可能なものである。
【符号の説明】
【００４３】
１…バックシート、２…透液性トップシート、３…吸収体、４…バリヤーシート、５…ファスニングテープ、６…摘み片、６ｃ…切込部、７…ターゲットテープ、８Ｂ，８Ｃ…基材、８Ａ…摘み部、８Ｃ…本体部、８Ｂ…付根部、９…係止部、１２…外装シート、３０…細長状弾性伸縮部材、１００…テープタイプ使い捨ておむつ、Ｂ…背側部分、Ｆ…腹側部分。
【図１】
2013202184.tif 000003
【図２】
2013202184.tif 000004
【図３】
2013202184.tif 000005
【図４】
2013202184.tif 000006
【図５】
2013202184.tif 000007
【図６】
2013202184.tif 000008
【図７】
2013202184.tif 000009
【図８】
2013202184.tif 000010